(57)【要約】    【課題】  外部音声再生装置の有効／無効によりＴＶ音声の出力又は非出力、及び文字情報の表示又は非表示を自動的に切換えることができるＴＶ受信機を提供することにある。    【解決手段】  ＴＶ受信機は、主として、アンテナ１０１、制御部１０２、操作部１０３、ＴＶチューナ１０４、外部音声出力端子１１２、スピーカ１１３、及びＬＣＤ１１４を有する。外部音声出力端子１１２には、ヘッドホン１１２Ａが接続される。外部音声出力端子１１２にヘッドホン１１２Ａが接続されているときは、スピーカ１１３の音声をミュートし、ヘッドホン１１２Ａの音声出力をＯＮにし、ＬＣＤ１１４に字幕（文字情報）を非表示にする。外部音声出力端子１１２からヘッドホン１１２Ａがはずされたときは、スピーカ１１３の出力をＯＮにし、ヘッドホン１１２Ａの音声をミュートし、字幕（文字情報）を表示にする。【選択図】      図２
2005333551.tif 000002
【特許請求の範囲】
【請求項１】
映像信号、当該映像信号に多重した文字情報信号、及び音声信号を含むＴＶ信号を受信する受信手段と、前記映像信号に基づく映像を画面に表示する第１の表示手段と、前記文字情報信号に基づく文字情報を前記画面に表示された映像に同期して前記画面に表示する第２の表示手段と、前記音声信号に基づく音声を出力する音声出力手段とを備え、前記音声信号に基づく音声を再生する外部音声再生装置が接続されるように構成されたＴＶ受信機において、
前記外部音声出力装置が有効か否かを判別する判別手段を備え、前記外部音声再生装置が有効であるときは、前記第２の表示手段は前記文字情報を非表示にすると共に、前記音声出力手段は前記音声を出力することを特徴とするＴＶ受信機。
【請求項２】
前記外部音声再生装置が有効でないときは、前記第２の表示手段は前記文字情報を表示すると共に、前記音声出力手段は前記音声を非出力にすることを特徴とする請求項１記載のＴＶ受信機。
【請求項３】
前記外部音声再生装置が有効であるときは、前記第２の表示手段による前記文字情報の表示及び非表示を選択する第１の選択手段を備えることを特徴とする請求項１又は２記載のＴＶ受信機。
【請求項４】
前記外部音声再生装置が有効でないときは、前記音声出力手段による音声出力、及び前記第２の表示手段による文字情報出力の少なくとも一方を選択する第２の選択手段を備えることを特徴とする請求項１乃至３のいずれか１項に記載のＴＶ受信機。
【請求項５】
テレビジョン放送番組の映像信号、文字情報信号及び音声信号が多重されてなるテレビジョン放送信号を受信するチューナと、
表示手段と、
前記チューナにより受信された文字情報信号に基づく文字情報を前記映像信号に基づく映像情報に同期して多重し、前記表示手段に表示する映像信号処理手段と、
スピーカと、
外部スピーカが接続される接続部と、
前記スピーカと前記接続部に接続された外部スピーカの何れか一方に対して前記チューナにより受信された音声信号を出力する音声出力手段と、
前記接続部に対する前記外部スピーカの接続の有無に応じて、前記音声出力手段による音声信号の出力処理と前記映像信号処理手段による前記文字情報の多重処理とを連動させて制御する制御手段とを備えることを特徴とするＴＶ受信機。
【請求項６】
前記制御手段は、前記接続部に前記外部スピーカが接続されていない場合には前記スピーカに対して前記音声信号を出力すると共に前記文字情報の多重を禁止し、前記外部スピーカが接続されている場合には前記外部スピーカに対して前記音声信号を出力すると共に前記文字情報を多重して表示するよう前記音声出力手段と前記映像信号処理手段とを制御することを特徴とする請求項５記載のＴＶ受信機。
【発明の詳細な説明】
【技術分野】
【０００１】
本発明は、ＴＶ受信機に関し、特に、映像信号、当該映像信号に多重した文字情報信号、及び音声信号を含むＴＶ信号を受信するＴＶ受信機に関する。
【背景技術】
【０００２】
地上波デジタルテレビジョン放送の開始に伴い、映像信号、当該映像信号に多重した文字情報信号、及び音声信号を含むＴＶ信号を受信する携帯電話、ＰＤＡ等のモバイル機器はＴＶ受信可能となり、屋外でのＴＶ視聴が容易となり身近なものになると考えられる。しかし、それに伴い、人ごみや電車、バス等の車内においてＴＶ視聴の際、周囲の騒音によりＴＶ音声が聞き取りにくかったり、逆に、ＴＶ音声により他者に不快感を与えてしまう状況も増えてくる。そのような場合、屋外でのＴＶの視聴において、周囲の騒音を避けたり、他者に不快感を与えないために、外部音声再生装置としてのヘッドホンにより音声データを取得し、映像に同期した字幕表示により文字データを取得するのが効果的であり、これらを使い分けることで屋外でのＴＶ視聴を快適に楽しむことができると考えられる。
【０００３】
このため、従来のＴＶ音声と、文字情報の切換え技術には、ＴＶ音声を消音すると自動的に文字情報が（字幕表示）ＴＶ画面上に表示されるものがある（例えば、特許文献１参照）。
【特許文献１】特開平０７−１２３３７６号公報
【発明の開示】
【発明が解決しようとする課題】
【０００４】
しかしながら、上記従来のＴＶ音声と文字情報の切換え技術を用いたとしても、ヘッドホン使用時と未使用時でＴＶ映像に同期した文字情報の表示又は非表示をその都度手動で選択することは手間のかかる作業である。
【０００５】
本発明の目的は、外部音声再生装置の有効／無効によりＴＶ音声の出力又は非出力、及び文字情報の表示又は非表示を自動的に切換えることができるＴＶ受信機を提供することにある。
【課題を解決するための手段】
【０００６】
上記の目的を達成するために、請求項１記載のＴＶ受信機は、映像信号、当該映像信号に多重した文字情報信号、及び音声信号を含むＴＶ信号を受信する受信手段と、前記映像信号に基づく映像を画面に表示する第１の表示手段と、前記文字情報信号に基づく文字情報を前記画面に表示された映像に同期して前記画面に表示する第２の表示手段と、前記音声信号に基づく音声を出力する音声出力手段とを備え、前記音声信号に基づく音声を再生する外部音声再生装置が接続されるように構成されたＴＶ受信機において、前記外部音声出力装置が有効か否かを判別する判別手段を備え、前記外部音声再生装置が有効であるときは、前記第２の表示手段は前記文字情報を非表示にすると共に、前記音声出力手段は前記音声を出力することを特徴とする。
【０００７】
請求項２記載のＴＶ受信機は、請求項１記載のＴＶ受信機において、前記外部音声再生装置が有効でないときは、前記第２の表示手段は前記文字情報を表示すると共に、前記音声出力手段は前記音声を非出力にすることを特徴とする。
【０００８】
請求項３記載のＴＶ受信機は、請求項１又は２記載のＴＶ受信機において、前記外部音声再生装置が有効であるときは、前記第２の表示手段による前記文字情報の表示及び非表示を選択する第１の選択手段を備えることを特徴とする。
【０００９】
請求項４記載のＴＶ受信機は、請求項１乃至３のいずれか１項に記載のＴＶ受信機において、前記外部音声再生装置が有効でないときは、前記音声出力手段による音声出力、及び前記第２の表示手段による文字情報出力の少なくとも一方を選択する第２の選択手段を備えることを特徴とする。
【００１０】
請求項５記載のＴＶ受信機は、テレビジョン放送番組の映像信号、文字情報信号及び音声信号が多重されてなるテレビジョン放送信号を受信するチューナと、表示手段と、前記チューナにより受信された文字情報信号に基づく文字情報を前記映像信号に基づく映像情報に同期して多重し、前記表示手段に表示する映像信号処理手段と、スピーカと、外部スピーカが接続される接続部と、前記スピーカと前記接続部に接続された外部スピーカの何れか一方に対して前記チューナにより受信された音声信号を出力する音声出力手段と、前記接続部に対する前記外部スピーカの接続の有無に応じて、前記音声出力手段による音声信号の出力処理と前記映像信号処理手段による前記文字情報の多重処理とを連動させて制御する制御手段とを備えることを特徴とする。
【００１１】
請求項６記載のＴＶ受信機は、請求項５記載のＴＶ受信機において、前記制御手段は、前記接続部に前記外部スピーカが接続されていない場合には前記スピーカに対して前記音声信号を出力すると共に前記文字情報の多重を禁止し、前記外部スピーカが接続されている場合には前記外部スピーカに対して前記音声信号を出力すると共に前記文字情報を多重して表示するよう前記音声出力手段と前記映像信号処理手段とを制御することを特徴とする。
【発明の効果】
【００１２】
請求項１記載のＴＶ受信機によれば、外部音声再生装置が有効になったときは、第２の表示手段は文字情報を非表示にすると共に、音声出力手段は音声を非出力にするので、外部音声再生装置の有効／無効によりＴＶ音声の出力又は非出力、及び文字情報の表示又は非表示を自動的に切換えることができる。
【００１３】
請求項２記載のＴＶ受信機によれば、外部音声再生装置が有効でないときは、第２の表示手段が文字情報を非表示にすると共に、音声出力手段が音声を非出力にするので、外部音声再生装置の有効／無効によりＴＶ音声の出力又は非出力、及び文字情報の表示又は非表示を自動的に切換えることができる。
【００１４】
請求項３記載のＴＶ受信機によれば、外部音声再生装置が有効であるときは、第２の表示手段による文字情報の表示及び非表示を選択するので、所望により、字幕の表示／非表示の切換えを行うことができる。
【００１５】
請求項４記載のＴＶ受信機によれば、外部音声再生装置が有効でないときは、音声出力手段による音声出力、及び第２の表示手段による文字情報出力から少なくとも１つを選択するので、所望により、音声出力手段による音声の出力と字幕の表示とこれらの両方のいずれかに切換えることができる。
【００１６】
請求項５記載のＴＶ受信機によれば、外部音声再生装置の有効／無効によりＴＶ音声の出力又は非出力、及び文字情報の表示又は非表示を自動的に切換えることができる。
【発明を実施するための最良の形態】
【００１７】
以下、本発明の実施の形態を図画を参照しながら詳述する。
【００１８】
図１は、本発明の実施の形態に係るＴＶ受信機の構成を概略的に示すブロック図である。
【００１９】
図１のＴＶ受信機は、主として、アンテナ１０１、制御部１０２、操作部１０３、ＴＶチューナ１０４（受信手段）、外部音声出力端子１１２、スピーカ１１３（音声出力手段）、及びＬＣＤ１１４（画面）を有する。外部音声出力端子１１２には、ヘッドホン１１２Ａ（外部音声再生装置）が接続される。
【００２０】
ＴＶチューナ１０４は、映像信号、当該映像信号に多重した文字情報信号、及び音声信号を含むＴＶ信号をアンテナ１０１を介して受信し、ＴＶ信号のうち、音声信号を音声信号処理回路１０５に、映像信号を映像信号処理回路１０６に、文字情報信号を文字情報信号処理回路１０７に夫々送出する。制御部１０２は、操作部１０３の操作に基づいて、音声出力、映像出力、文字情報表示を行うべくＴＶチューナ１０５、音声信号処理回路１０５、映像信号処理回路１０６、及び文字情報信号処理回路１０７を夫々制御すると共に、メニュー画面表示回路１１５を制御する。
【００２１】
音声信号処理回路１０５（第２の表示手段）は、ＴＶチューナ１０４が受信したＴＶ信号のうちＴＶ音声信号を外部音声出力回路１０９及び外部音声出力端子１１２を介してヘッドホン１１２Ａに送出してヘッドホン１１２にＴＶ音声を出力させると共に、ＴＶ音声信号を内蔵音声出力回路１１０（音声出力手段）を介してスピーカ１１３に送出してスピーカ１１３にＴＶ音声を出力させる。
【００２２】
映像信号処理回路１０６（第１の表示手段）は、ＴＶチューナ１０４が受信したＴＶ信号のうち映像信号を映像出力回路１１１を介してＬＣＤ１１４に表示し、文字情報信号処理回路１０７は、ＴＶチューナ１０４が受信したＴＶ信号のうち文字情報信号に基づく文字情報をＬＣＤ１１４に表示された映像と同期して映像出力回路１１を介してＬＣＤ１１４に表示する。
【００２３】
メニュー画面表示回路１１５は、音声出力、映像出力、文字情報表示の各操作のメニュー画面を映像出力回路１１１を介してＬＣＤ１１４に表示し、ＴＶ受信機のユーザは、このメニュー画面を見て操作部１０３を用いて所定の操作を行う。
【００２４】
図２は、図１のＴＶ受信機によって実行される文字情報表示／非表示切換え処理を示すフローチャートである。
【００２５】
図２において、まず、ＴＶ受信機がＴＶ信号を受信しているか否かを判別し（ステップＳ１）、ＴＶ信号を受信していないときは、直ちに本処理を終了し、一方、ＴＶ信号を受信しているときは、次に、外部音声出力端子１１２にヘッドホン１１２Ａが接続されているか否かを判別し（ステップＳ２）、ヘッドホン１１２Ａが接続されているときは、スピーカ１１３のＴＶ音声をミュートし（ステップＳ６）、ヘッドホン１１２ＡのＴＶ音声出力をＯＮにし（ステップＳ７）、ＬＣＤ１１４への字幕（文字情報）を非表示にして（ステップＳ８）、本処理を終了する。
【００２６】
ステップＳ２の判別の結果、外部音声出力端子１１２からヘッドホン１１２Ａがはずされたときは、スピーカ１１３の出力をＯＮとし（ステップＳ３）、ヘッドホン１１２ＡのＴＶ音声をミュートし（ステップＳ４）、ＴＶ音声に対応する字幕（文字情報）を表示して（ステップＳ５）、本処理を終了する。
【００２７】
図２の処理によれば、外部音声出力端子１１２にヘッドホン１１２Ａが接続されているときは、スピーカ１１３の音声をミュートし（ステップＳ６）、ＬＣＤ１１４への字幕（文字情報）を非表示にし（ステップＳ８）、ヘッドホン１１２Ａがはずされたときは、スピーカ１１３の音声をＯＮとし（ステップＳ３）、音声に対応する字幕（文字情報）を表示する（ステップＳ５）ので、ヘッドホン１１２Ａの着脱によりＴＶ音声の出力又は非出力、及び字幕の表示又は非表示を自動的に切換えることができる。
【００２８】
図３は、図１のＴＶ受信機によって実行されるヘッドホン音声出力／ミュート切換え処理を示すフローチャートである。
【００２９】
図１のＴＶ受信機は、図４に示す操作部１０３を有する。操作部１０３によりヘッドホン装着時及びヘッドホン非装着時の音声出力、文字情報表示の取り扱い方法を切換えることができ、メニューボタン（Ｆ）を押下することによりＬＣＤ１１４にメニュー表示する。
【００３０】
このメニューは、ヘッドホン装着時では、図５に示すように、１.自動切換え、２.字幕表示、３．字幕非表示の各項目を含み、これらのメニュー項目を操作ボタン（図４）の上（Ａ）下（Ｂ）キーにより選択し、ＳＥＴキー（Ｅ）で決定する。また、上記メニューは、ヘッドホン非装着時では、図６に示すように、１．自動切換え、２．音声、３．字幕表示、４．音声＋字幕表示の各項目を含み、これらのメニュー項目を操作ボタン（図４）の上（Ａ）下（Ｂ）キーにより選択し、ＳＥＴキー（Ｅ）で決定する。
【００３１】
図３において、まず、ＴＶ信号を受信しているか否かを判別し（ステップＳ１１）、ＴＶ信号を受信していないときは、直ちに本処理を終了し、一方、ＴＶ信号を受信しているときは、次に、外部音声出力端子１１２にヘッドホン１１２Ａが接続されているか否かを判別し（ステップＳ１２）、ヘッドホン１１２Ａが接続されているときは、図５のヘッドホン装着時出力選択メニューで、字幕（文字情報）表示、又は自動切換え若しくは字幕（文字情報）非表示のいずれが選択されたかを判別し（ステップＳ２０）（第１選択手段）、１．自動切換え、若しくは３. 字幕非表示が選択されたときは、字幕表示を非表示にし（ステップＳ２２）、スピーカ１１３のＴＶ音声をミュートし（ステップＳ２３）、ヘッドホン１１２ＡのＴＶ音声を出力して（ステップＳ２４）、本処理を終了する。
【００３２】
ステップＳ２０の判別の結果、図５のヘッドホン装着時出力選択メニューで、２．字幕表示が選択されたときは、ＴＶ音声に対応する字幕を表示し（ステップＳ２１）、スピーカ１１３のＴＶ音声をミュートし（ステップＳ２３）、ヘッドホン１１２ＡのＴＶ音声を出力して（ステップＳ２４）、本処理を終了する。
【００３３】
また、ステップＳ１２の判別の結果、ヘッドホン１１２Ａがはずされたときは、図６のヘッドホン非装着時出力選択メニューで、１．自動切換え若しくは３．字幕（文字情報）表示、４．音声＋字幕（文字情報）表示、又は２．音声のいずれが選択されたかを判別し（ステップＳ１３）（第２の選択手段）、１．自動切換え若しくは３．字幕表示が選択されたときは、ＴＶ音声に対応する字幕を表示し（ステップＳ１４）、スピーカ１１３の出力をミュートし（ステップＳ１５）、ヘッドホン１１２Ａの音声をミュートして（ステップＳ１９）、本処理を終了する。
【００３４】
ステップＳ１３の判別の結果、図６のヘッドホン非装着時出力選択メニューで４．音声＋字幕表示が選択されたときは（ステップＳ１３）、音声に対する字幕情報を表示（ステップＳ１６）、スピーカ１１３のＴＶ音声を出力し（ステップＳ１７）、ヘッドホン１１２Ａの音声をミュートして（ステップＳ１９）、本処理を終了する。
【００３５】
ステップＳ１３の判別の結果、図６のヘッドホン非装着時出力選択で２．音声が選択されたときは（ステップ１３）、字幕を非表示にして（ステップＳ１８）、スピーカ１１３のＴＶ音声を出力し（ステップＳ１７）、ヘッドホン１１２Ａの音声をミュートして（ステップＳ１９）、本処理を終了する。
【００３６】
図３の処理によれば、外部音声出力端子１１２にヘッドホン１１２Ａが接続されたときは（ステップＳ１２でＹＥＳ）、図５のヘッドホン装着時出力選択メニューで、字幕（文字情報）表示（ステップＳ２１）、及び字幕（文字情報）非表示（ステップＳ２２）のいずれかを選択するので、所望により、字幕の表示／非表示の切換えを行うことができ、また、外部音声出力端子１１２にヘッドホン１１２Ａがはずされたときは（ステップＳ１２でＮＯ）、図６のヘッドホン非装着時出力選択メニューで、自動切換え若しくは字幕表示（ステップＳ１５）、スピーカ１１３によるＴＶ音声出力及び字幕（文字情報）表示（ステップＳ１６）、並びにＴＶ音声出力のいずれかを選択するので、所望により、スピーカ１１３によるＴＶ音声の出力と字幕の表示とこれらの両方とに切換えることができる。
【図面の簡単な説明】
【００３７】
【図１】本発明の実施の形態に係るＴＶ受信機の構成を概略的に示すブロック図である。
【図２】図１のＴＶ受信機によって実行される文字情報表示／非表示切換え処理を示すフローチャートである。
【図３】図１のＴＶ受信機によって実行されるヘッドホン音声出力／ミュート切換え処理を示すフローチャートである。
【図４】図１のＴＶ受信機のヘッドホン装着時出力選択メニューを説明するのに用いられる図である。
【図５】図１のＴＶ受信機のヘッドホン非装着時出力選択メニューを説明するのに用いられる図である。
【図６】図１のＴＶ受信機の操作部１０３における操作ボタンの一例を説明するのに用いられる図である。
【符号の説明】
【００３８】
１０１  アンテナ
１０２  制御部
１０３  操作部
１０４  ＴＶチューナ
１０５  音声信号処理回路
１０６  映像信号処理回路
１０７  文字情報信号処理回路
１０８  外部接続端子検出回路
１０９  外部音声出力回路
１１０  内蔵音声出力回路
１１１  映像出力回路
１１２  外部音声出力端子
１１２Ａ  ヘッドホン
１１３  内蔵スピーカ
１１４  ＬＣＤ
【図１】
2005333551.tif 000003
【図２】
2005333551.tif 000004
【図３】
2005333551.tif 000005
【図４】
2005333551.tif 000006
【図５】
2005333551.tif 000007
【図６】
2005333551.tif 000008